(57)【要約】      （修正有）【課題】便座に座った際に、便座の汚れが衣服や身体につくのを防ぐ、衛生的かつ快適なトイレシートを提供する。【解決手段】トイレシート１００は、便座の形状に沿い便座の表面全体を覆う形を有する複数の便座シートを剥離可能に積層すると共に、各便座シートの縁部に便座の前方付近を覆うように設けた波部４を有し、前部分Ｆと後部分Ｒで分割構造であると共に、各便座シートは、繊維状の素材からなる上層部と下層部と、上層部と下層部との間に吸湿性素材からなる中層部を重ね合わせた積層構造からなり、下層部の表面には水溶性の付着剤が塗布され、全体が水溶性である上層のシートを剥して、下層のシートを表に出すことにより、新しい綺麗な状態で使用でき、剥したシートはトイレに流して捨てることができる。【選択図】図１
0003206902.tif 000002
【実用新案登録請求の範囲】
【請求項１】
便座の上に敷くトイレシートであって、
前記便座の形状に沿い且つ前記便座の表面全体を覆い得る形を有する複数の便座シートを剥離可能に積層すると共に、各便座シートの縁部に且つ前記便座の前方付近を覆うように設けた波部を有し、
前後方向の前部分Ｆ及び後部分Ｒで分割構造であると共に、
各便座シートは、繊維状の素材からなる上層部と下層部と、前記上層部と下層部との間に吸湿性のある素材からなる中層部を重ね合わせた積層構造からなると共に、下層部の表面には水溶性の付着剤が塗布され、
全体が水溶性のものとすることを特徴とするトイレシート。
【請求項２】
前記下層部は、前記上層部とは異なる色で形成されることを特徴とする請求項１に記載のトイレシート。
【考案の詳細な説明】
【技術分野】
【０００１】
本考案は、洋式トイレの便座や床に敷く、トイレシートに関するものである。
【背景技術】
【０００２】
現在、デパートやビル、公共施設において洋式トイレが多く設置されているが、そのほとんどが便座カバーがついていないものである。よって、これらの洋式トイレを使用する際に、衛生上の観点から、種々の便座シートが考案されている。
【０００３】
特許文献１にかかる発明は、シートの水解性を維持するため、シートの厚さを薄くしており、また、便座に敷いたときの粘着力を高めるため、シートの裏面同士を重ね合わせてもシートが破れないことを特徴とする便座シートである。特許文献２は、シートの裏側の複数個所に粘着剤を設けることによって、シートごと巻き取ることができることを可能にした携帯用の便座シートである。    
【先行技術文献】
【特許文献】
【０００４】
【特許文献１】特開２００５−４０３５９号公報
【特許文献２】特開２０１０−１９４２８４号公報
【考案の概要】
【考案が解決しようとする課題】
【０００５】
しかしながら、上記特許文献１及び２に係る発明は、便座シートの汚れがひどくなった場合、便座シート自体を交換しなければならず、便座シートが便座に対して粘着しているため、剥すのが面倒であるという問題点があった。本考案は、係る問題点を解決するためになされたものである。
【課題を解決するための手段】
【０００６】
上記のような問題点を解決するため、第１の考案に係るトイレシートは、便座の上に敷くトイレシートであって、前記便座の形状に沿って形を有する複数の便座シートを剥離可能に積層すると共に各便座シートの縁部に波部を有することを特徴とする。
【０００７】
第２の考案に係るトイレシートは、上記考案において、前記便座シートは、前後方向の前部分及び後部分で分割構造であることを特徴とする。
【０００８】
第３の考案に係るトイレシートは、上記考案において、前記便座シートは、繊維状の素材からなる上層部と下層部と、前記上層部と下層部との間に高吸湿性のある素材からなる中層部を重ね合わせた、積層構造からなることを特徴とする。
【０００９】
第４の考案に係るトイレシートは、上記考案において、前記下層部の表面には、水溶性の付着剤が塗布されていることを特徴とする。
【００１０】
第５の考案に係るトイレシートは、上記考案において、前記便座シートの素材を水溶性のものとすることを特徴とする。
【図面の簡単な説明】
【００１１】
【図１】この考案の実施の形態１にかかる便座シートの平面図である。
【図２】図１の便座シートの断面図である。
【図３】トイレシートを構成する便座シートの断面図である。
【図４】図１の便座シートを便座の上に敷いたときの説明図である。
【図５】この考案の実施の形態２にかかる床マットの平面図である。
【図６】図５の床マットを便器に設置したときの説明図である。
【考案を実施するための形態】
【００１２】
以下これらの考案につき、図面を参照しつつ詳細に実施の形態を説明する。なおこの実施の形態によりこれらの考案が限定されるものではない。
【００１３】
[実施の形態１]
図１は、この考案の実施の形態１にかかるトイレシートの平面図である。図２は、図１に示したトイレシートの断面図である。トイレシート１００は、便座シート５０を複数積層した構造である（図２では二層の例を示している）。各便座シート５０は、本体１の全体が略楕円形となっており、便座前後方向又は着座状態の前後方向の前部分Ｆ及び後部分Ｒで左右分離した構造となる。分割構造とすることで様々な寸法の便座に対応できるようになる。また、前部分Ｆが割れている形状の便座にも適用が容易である。また、この便座シート５０の中央部は、略楕円形状の孔３が開いている。孔３は、長いもの丸いもの等の様々な形状を採用できる。また、寸法についても数種類のものを設定することもできる。
【００１４】
また、便座シート５０を便座に敷き、便座に座った後、皺や折れ線ができるのを防ぐため、便座シート５０の縁部に、波部４を有する構造となっている。尚、本便座シート５０は、便座全体を覆うことができるように、さらに、使用中に発生する汚れが衣服や身体に付かないように、便座の全体形状よりもやや大きめの形状となる。また、本便座シート５０の素材は、使用後トイレに流して捨てることができるよう水溶性のものでもよい。
【００１５】
便座シート５０と便座シート５０との間には、低粘着性の水溶性の付着剤が介挿されている。特に、肌に触れる面とは反対面（後述する下層部７）に付着層２を設け、これに接着するもう一方の便座シート５０の肌に触れる面（後述する上層部５）には、当該付着剤が着かないようにする。これにより、便座シート５０と便座シート５０とが剥離可能となる。
【００１６】
図３は、トイレシートを構成する便座シートの断面図である。この便座シート５０は、上層部５、中層部６、下層部７の３層構造となっている、上層部５は、便座シートに座った際に心地よく、かつ動いた時に破けないよう、繊維状の素材からなる。中層部６は便座についていた汚れや、便座を使用している際に発生する汚れなどを吸収し、上層部５へ移らせることの無いよう、高吸湿性のある素材からなる。尚、中層部６は汚れの吸収を強化するため、同様の素材を２層又は３層構造のものにしてもよい。下層部７は上層部５と同様の素材となるが、下層部７の表面９は便座に接する部分であるため、上層部５の表面８と色を変えるなどして見分けがつくようにすることが望ましい。また下層部７の表面９には便座シート５０を便座に付着でき固定できるよう、水溶性の付着剤を塗布させてもよい。
【００１７】
図４は、トイレシートを便座の上に敷いたときの説明図である。以下本考案の使用方法を説明する。
【００１８】
まず、図４に示すように、トイレシート１００を便座Ｂに敷く。このとき、左右分割されていることから、便座Ｂの左右にそれぞれ位置を合わせながら敷くものとする。その後、トイレシート１００の波部４が、便座Ｂの前方付近に来るように、かつ下層部７の表面９が、便座Ｂ全体を覆うように、便座シート５０を敷く。便座Ｂに座り、トイレシート１００の位置を調整する必要がある場合は、トイレシート１００を手で持ち調整する。なお、便座Ｂの前方の内側や裏面に汚れがある場合は、波部４を便座の裏側に向かって、折り畳んで使用する。波部４を便座Ｂの裏側に折り込むことも可能であり、波部４を設けることで様々な形状の便座Ｂに対応できる。また、下層部７に付着剤を設けた場合は、位置を合わせて便座にトイレシート１００を付着固定する。
【００１９】
次に、便座シート５０が汚れてきたら、一番上になっている便座シート５０を剥して、下層の便座シート５０を表に出す。これにより、新しい綺麗な状態で使用を継続できる。このリフレッシュは便座シート５０の積層枚数だけ行うことができる。そして、剥した便座シート５０は、トイレに流して捨てることもできる。
【００２０】
以上により、トイレの使用開始から使用終了まで、衣服や身体に汚れが付くことなく、衛生的かつ快適に、トイレシート１００を使用することができる。また波部４が便座Ｂの前方付近をすっぽりと覆うことから、どんな便座Ｂでも対応することができる。さらに、便座Ｂの素材が水溶性のものである場合、使用後はトイレに流すこともできるため、ゴミの発生を抑え、エコ対策にもなる。
【００２１】
[実施の形態２]
図５は、この考案の実施の形態２にかかる床マットの平面図である。実施の形態１と同じ構成要素には同じ符号を用いて説明を省略し、異なる部分を説明する。
【００２２】
この床マット２００は、上記トイレシート１００と同じ積層構造である。即ち、便座シート５０と同じ素材及び構造であって形状のみが床マットの形になっており、この便座シート５０に相当するマットシートが複数積層している。この床マット２００もトイレに用いるシートであるからトイレシートと総称するが、以下説明上は床マット２００と称する。この床マット２００は、全体的にＵ字形状になっており、上辺から中心部にかけて便器Ｂ２に設置するための設置口１０が設けられている。また設置口１０の縁部に、波部１１を有する構造となっている。
【００２３】
図６は、図５の床マットを便器に設置したときの説明図である。以下この床マットの使用方法を説明する。
【００２４】
床マット２００を床に敷いた後、床マットの設置口１０を便器の底辺部Ｂ２に嵌めこむように設置する。このとき、波部１１が便器の底辺部Ｂ２の周辺と接するように設置する。表面が汚れたら、一番上のマットシートを剥して二番目のマットシートを表に出す。これにより、綺麗な状態で床マット２００を使用できる。このリフレッシュはマットシートの積層枚数だけ行うことができる。そして、剥したマットシートは、便器の中に捨てることができる程度に折り畳んだ後、流し捨てることもできる。
【００２５】
以上により、トイレの床が汚れることなく、衛生かつ快適に床マットを使用することができる。また、床マットの素材が水溶性のものである場合、使用後はトイレに流して捨てることもできるので、ゴミの発生を抑えエコ対策にもなる。
【符号の説明】
【００２６】
１００  トイレシート
５０  便座シート
１  本体
２  付着層
３  孔
４  波部
５  上層部
６  中層部
７  下層部
８  上層部の表面
９  下層部の表面
２００  床マット
１０  設置口
１１  波部
【図１】
0003206902.tif 000003
【図２】
0003206902.tif 000004
【図３】
0003206902.tif 000005
【図４】
0003206902.tif 000006
【図５】
0003206902.tif 000007
【図６】
0003206902.tif 000008